(57)【要約】【課題】  画像の濃度を位置情報に応じて補正し、画像を位置情報に応じて出力する場合に、濃度補正の位置情報と画像出力の位置情報との間にずれが生じていても、画像の濃度を補正して画像を出力する。【解決手段】  処理制御部７６は、用紙の両面に形成する画像の倍率を切替える表裏倍率切換信号を出力する。アドレスカウンタ８０は、クロックの周波数を走査設定部７８から入力される設定に応じて変更し、光書込み装置４０ａ〜４０ｄが走査光を発するアドレス（位置情報）を生成する。アドレス補正部８４は、処理制御部７６から入力された表裏倍率切換信号に応じてアドレスを補正し、用紙の裏面に画像を形成する場合に、補正後のアドレスを濃度補正部８６に対して出力する。濃度補正部８６は、アドレス補正部８４から補正後のアドレスを受入れると、補正後のアドレスに応じて画像データをＬＵＴ９２によって濃度補正する。【選択図】          図２
2007088564.tif 000002
【特許請求の範囲】
【請求項１】
画像の出力状態を位置情報に応じて補正する出力状態補正手段と、この出力状態補正手段が補正した画像を位置情報に応じて出力する出力手段と、この出力手段の位置情報と前記出力状態補正手段の位置情報との間にずれが生じる場合に、前記出力状態補正手段の位置情報を補正する位置情報補正手段とを有する画像形成装置。
【請求項２】
位置情報に応じて画像を出力する出力手段と、この出力手段が出力する画像の出力状態を位置情報に対応づけて検出する検出手段と、この検出手段が検出した画像の出力状態を位置情報に応じて補正する出力状態補正手段と、この出力状態補正手段の位置情報と前記出力手段の位置情報との間にずれが生じる場合に、前記出力状態補正手段の位置情報を補正する位置情報補正手段とを有する画像形成装置。
【請求項３】
前記出力手段は、記録媒体の表裏に対して画像を出力し、前記位置情報補正手段は、位置情報の補正量が記録媒体の表裏に対して異なる請求項１又は２記載の画像形成装置。
【請求項４】
前記出力手段は、画像をスクリーニングして出力し、前記位置情報補正手段は、前記出力手段が画像をスクリーニングする前に位置情報を補正する請求項１乃至３いずれか記載の画像形成装置。
【請求項５】
画像に対して位置情報補正を行う第２の位置情報補正手段をさらに有し、前記第２の位置情報補正手段は、前記出力手段が画像を走査するためのクロックの周波数を変更することによって画像の位置情報を補正する請求項４記載の画像形成装置。
【請求項６】
前記出力手段は、画像をスクリーニングして出力し、前記第２の位置情報補正手段は、前記出力手段が画像をスクリーニングした後に位置情報を補正する請求項１乃至３いずれか記載の画像形成装置。
【請求項７】
前記第２の位置情報補正手段は、前記出力手段が出力する画像の倍率を変更することによって位置情報を補正する請求項６記載の画像形成装置。
【請求項８】
前記第２の位置情報補正手段は、前記出力手段が画像の走査を開始する位置を変更することによって位置情報を補正する請求項４乃至７いずれか記載の画像形成装置。
【発明の詳細な説明】
【技術分野】
【０００１】
本発明は、画像に生じる面内むら乃至すじを補正する画像形成装置に関するものである。
【背景技術】
【０００２】
画像形成装置として、記録紙に形成した画像を読取り、読取った画像に基づいて、形成する画像を補正するものが知られている。
この種の画像形成装置において、記録紙を反転させて記録紙の両面にテストパターン画像を形成し、テストパターン画像相互の濃度差及び倍率の差に基づいて、記録紙の両面に形成する画像の濃度と倍率とを均一にするものは公知である（特許文献１参照）。
【０００３】
【特許文献１】特開平９−２７８７９号公報
【発明の開示】
【発明が解決しようとする課題】
【０００４】
しかしながら、記録紙を反転させて記録紙の両面に形成したテストパターン画像に倍率の差がある場合、帯電器などに起因してテストパターン画像に面内むら乃至すじが生じると、面内むら乃至すじの位置が記録紙の両面で互いにずれてしまう。上記従来例においては、記録紙の両面に形成する画像の倍率を補正する場合に、画像に生じる面内むら乃至すじを補正することについて、何ら開示されていない。
【０００５】
本発明の目的は、画像の出力状態を位置情報に応じて補正し、画像を位置情報に応じて出力する場合に、出力状態補正の位置情報と画像出力の位置情報との間にずれが生じていても、画像の出力状態を補正して画像を出力することができる画像形成装置を提供することにある。
【課題を解決するための手段】
【０００６】
上記目的を達成するため、本発明の第１の特徴とするところは、画像の出力状態を位置情報に応じて補正する出力状態補正手段と、この出力状態補正手段が補正した画像を位置情報に応じて出力する出力手段と、この出力手段の位置情報と前記出力状態補正手段の位置情報との間にずれが生じる場合に、前記出力状態補正手段の位置情報を補正する位置情報補正手段とを有する画像形成装置にある。即ち、出力状態補正手段が画像の出力状態を位置情報に応じて補正し、出力手段が画像を位置情報に応じて出力する場合に、出力状態補正の位置情報と画像出力の位置情報との間にずれが生じていても、位置情報補正手段が出力状態補正手段の位置情報を補正するので、画像の出力状態を補正して画像を出力することができる。
【０００７】
また、本発明の第２の特徴とするところは、位置情報に応じて画像を出力する出力手段と、この出力手段が出力する画像の出力状態を位置情報に対応づけて検出する検出手段と、この検出手段が検出した画像の出力状態を位置情報に応じて補正する出力状態補正手段と、この出力状態補正手段の位置情報と前記出力手段の位置情報との間にずれが生じる場合に、前記出力状態補正手段の位置情報を補正する位置情報補正手段とを有する画像形成装置にある。即ち、位置情報補正手段は、検出手段が検出した画像の出力状態に対応づけられた位置情報を補正することになり、出力状態補正手段の位置情報と出力手段の位置情報との間にずれが生じていても、画像の出力状態を補正して画像を出力することができる。
【０００８】
好適には、前記出力手段は、記録媒体の表裏に対して画像を出力し、前記位置情報補正手段は、位置情報の補正量が記録媒体の表裏に対して異なる。したがって、記録媒体の表面に画像を出力することによって大きさが変化した記録媒体の裏面に画像を出力する場合にも、画像の出力状態を補正して画像を出力することができる。
【０００９】
また、好適には、前記出力手段は、画像をスクリーニングして出力し、前記位置情報補正手段は、前記出力手段が画像をスクリーニングする前に位置情報を補正する。
【００１０】
また、好適には、画像に対して位置情報補正を行う第２の位置情報補正手段をさらに有し、前記第２の位置情報補正手段は、前記出力手段が画像を走査するためのクロックの周波数を変更することによって画像の位置情報を補正する。
【００１１】
また、好適には、前記出力手段は、画像をスクリーニングして出力し、前記第２の位置情報補正手段は、前記出力手段が画像をスクリーニングした後に位置情報を補正する。
【００１２】
また、好適には、前記第２の位置情報補正手段は、前記出力手段が出力する画像の倍率を変更することによって位置情報を補正する。
【００１３】
また、好適には、前記第２の位置情報補正手段は、前記出力手段が画像の走査を開始する位置を変更することによって位置情報を補正する。
【発明の効果】
【００１４】
本発明によれば、画像の出力状態を位置情報に応じて補正し、画像を位置情報に応じて出力する場合に、出力状態補正の位置情報と画像出力の位置情報との間にずれが生じていても、画像の出力状態を補正して画像を出力することができる。
【発明を実施するための最良の形態】
【００１５】
次に本発明の実施形態を図面に基づいて説明する。
図１において、本発明の実施形態に係る画像形成装置１０の概要が示されている。画像形成装置１０は、給紙ユニット（トレイモジュール）１２、画像読取りユニット１３、画像形成装置本体１４、排出ユニット１６、ユーザインターフェイス（ＵＩ装置）１７及び制御部１８を有する。画像形成装置１０は、システムとしてはネットワークを介して接続されるコンピュータやその他の端末装置を含むことがある。
【００１６】
給紙ユニット１２は、上下に例えば２段の給紙カセット（トレイ）２０ａ，２０ｂが配置されている。それぞれの給紙カセット２０ａ，２０ｂの前端近傍上部にはピックアップロール２２ａ，２２ｂが配置されている。このピックアップロール２２ａ，２２ｂの前方には、フィードロール２４ａ，２４ｂ、及びこのフィードロール２４ａ，２４ｂに対向してリタードロール２６ａ，２６ｂが配置されている。したがって、給紙カセット２０ａ，２０ｂのいずれかからピックアップロール２２ａ，２２ｂにより送り出された用紙（記録媒体）は、フィードロール２４ａ，２４ｂ及びリタードロール２６ａ，２６ｂの協働により捌かれて下流側へ搬送される。上方の給紙カセット２０ａは、第１の搬送路２８に接続され、下方の給紙カセット２０ｂは、第２の搬送路３０に接続され、第１の搬送路２８と第２の搬送路３０とは、第３の搬送路３２に接続され、この第３の搬送路３２が画像形成装置本体１４の搬送ユニット５４に接続されている。したがって、上方の給紙カセット２０ａから搬送された用紙は、第１の搬送路２８及び第３の搬送路３２を介して画像形成装置本体１４側に搬送される。また、下方の給紙カセット２０ｂから搬送された用紙は、第２の搬送路３０及び第３の搬送路３２を介して画像形成装置本体１４側に搬送される。また、第３の搬送路３２には、反転路６３の一端が接続されている。
【００１７】
画像読取りユニット１３は、縮小光学系及びＣＣＤ等からなる画像読取素子を有し、原稿等からカラー画像を読取って画像データを制御部１８に対して出力する。
画像形成装置本体１４は、上部に例えば４つのトナー像形成装置３４ａ〜３４ｄを有し、このトナー像形成装置３４ａ〜３４ｄは、画像形成装置本体１４の上部に設けられたトナーボックスに含まれるイエロー（Ｙｅｌｌｏｗ）、マゼンタ（Ｍａｇｅｎｔａ）、シアン（Ｃｙａｎ）及び黒（Ｂｌａｃｋ）の４色のトナーをそれぞれ受入れるようにされている。また、トナー像形成装置３４ａ〜３４ｄは、感光体３６ａ〜３６ｄ、帯電器３８ａ〜３８ｄ、光書込み装置（ＲＯＳ）４０ａ〜４０ｄ、現像器４２ａ〜４２ｄ、一次転写ロール４４ａ〜４４ｄ及びクリーニング装置４６ａ〜４６ｄがそれぞれ収納されている。
【００１８】
帯電器３８ａ〜３８ｄは、感光体３６ａ〜３６ｄを一様に帯電する。光書込み装置４０ａ〜４０ｄは、図示しない半導体レーザ、コリメータレンズ、回転多面鏡及びｆθレンズ等を有し、トナー像形成装置３４ａ〜３４ｄの上部に配置され、帯電された感光体３６ａ〜３６ｄに向けて走査光を発することにより、感光体３６ａ〜３６ｄにそれぞれ潜像を形成する。感光体３６ａ〜３６ｄの主走査開始位置近傍には、図示しないＳＯＳ（Start of Scan）センサがそれぞれ設けられており、ＳＯＳセンサは、光書込み装置４０ａ〜４０ｄが発する走査光を検出し、感光体３６ａ〜３６ｄの主走査方向に走査を開始するタイミングの基準となるＳＯＳ信号を出力するようにされている。現像器４２ａ〜４２ｄは、感光体３６ａ〜３６ｄに形成された潜像をイエロー、マゼンタ、シアン及び黒の４色のトナーによってそれぞれ可視化されたトナー像にする。なお、可視化されたトナー像は、感光体３６ａ〜３６ｄそれぞれの主走査方向及び副走査方向に走査された画素からなる。
【００１９】
感光体３６ａ〜３６ｄと一次転写ロール４４ａ〜４４ｄとの間には、中間転写ベルト４８が走行するようにされている。一次転写ロール４４ａ〜４４ｄが中間転写ベルト４８を介して感光体３６ａ〜３６ｄに圧接されることにより、感光体３６ａ〜３６ｄのトナー像は中間転写ベルト４８に重ねて転写される。すなわち、中間転写ベルト４８には、カラーのトナー像が転写される。
【００２０】
また、トナー像形成装置３４ａ〜３４ｄの下流側には、中間転写ベルト４８に転写されたそれぞれの色のトナー像の位置ずれを検知する位置ずれ検出部４９が配設されている。位置ずれ検出部４９は、制御部１８の制御により、中間転写ベルト４８に形成されるトナー像の位置ずれ検知用パターンの位置を検知し、制御部１８に対して出力する。
【００２１】
クリーニング装置４６ａ〜４６ｄは、中間転写ベルト４８にトナー像が転写された後に、感光体３６ａ〜３６ｄに残ったトナーをクリーニングする。
【００２２】
中間転写ベルト４８には、下方に中間転写ベルト４８の搬送ロール５０が設けられている。搬送ロール５０には、中間転写ベルト４８を介して２次転写ロール５２が圧接しており、搬送ユニット５４から搬送された用紙に中間転写ベルト４８上のトナー像を転写するようにしてある。２次転写ロール５２の下流には、搬送ベルト５６ａ，５６ｂが設けられており、カラーのトナー像を転写された用紙は、搬送ベルト５６ａ，５６ｂを介して定着器５８に搬送されるようにしてある。定着器５８は、例えばベルトニップ方式によりカラーのトナー像を用紙に定着させる。
【００２３】
定着器５８の下流には、画像読取部５９が設けられている。画像読取部５９は、例えばＣＣＤ等からなる画像読取素子を有し、用紙に定着されたトナー像（画像）の色と濃度を例えば画像読取素子による読取位置などの位置情報に対応づけて読取り（検出し）、制御部１８に対して出力する。なお、用紙が後述するフィードバック部６２などによって反転されることにより、画像読取部５９は、用紙の表裏（両面）に形成される画像を読取ることができるようにされている。
【００２４】
排出ユニット１６は、トナー像を定着された用紙を図示しない排出トレーに向けて排出する。ただし、両面印刷の場合には、排出ユニット１６に搬送された用紙は、排出ユニット１６の下部に設けられたフィードバック部６２により折り返され、反転路６３を介して搬送ユニット５４の入口側へ戻され、再び搬送ユニット５４によって搬送されて、２次転写ロール５２により転写され、定着器５８及び排出ユニット１６を通って排出される。
【００２５】
ユーザインターフェイス１７は、種々の制御情報や指示情報などが表示される表示部、及び指示情報などを入力する例えばタッチパネルなどの入力部などを有する。すなわち、作業者は、ユーザインターフェイス１７を介して画像形成装置１０を操作することができる。
【００２６】
制御部１８は、後述する画像処理部７０を含み、例えば画像読取りユニット１３又は図示しないコンピュータなどから画像データを受入れ、画像データによって示される画像の濃度を補正する処理を行うと共に、画像形成装置１０を構成する各部を制御する。
【００２７】
図２において、画像処理部７０の構成が示されている。画像処理部７０は、濃度補正量算出部７２、発振器７４、処理制御部７６、走査設定部７８、アドレスカウンタ８０、画像メモリ８２、アドレス補正部８４、濃度補正部８６及び網点生成部８８から構成される。
濃度補正量算出部７２は、用紙の表面に形成された画像から画像読取部５９が読取位置などの位置情報に対応づけて読取った画像の濃度を検出結果として受け入れ、用紙の表面に形成する画像の濃度を位置情報に応じて補正するための補正量を算出し、濃度補正部８６に対して出力する。
【００２８】
発振器７４は、光書込み装置４０ａ〜４０ｄが走査光を発する場合に同期するクロックの原発振クロックを生成し、アドレスカウンタ８０に対して出力する。
画像を両面に作成する際、表面に相当する画像を用紙に転写した後に、定着器５８を通った用紙に含まれる水分が蒸発することによって用紙が収縮する。この用紙が収縮した状態で裏面画像が用紙に転写され再度定着された後に、用紙が元の状態の通りに水分を帯びるとほぼ元々のサイズに膨張する。このため、表面は収縮膨張の前に転写された画像のサイズがほぼそのまま用紙上の情報として存在するのに対して、裏面に転写された情報は、収縮した状態で転写された後に、用紙が膨張することで画像サイズが拡大される。
処理制御部７６は、画像形成装置１０が用紙の表面に画像を形成した場合に、定着器５８を通った用紙に含まれる水分が蒸発することによって用紙が収縮する収縮率を図示しないメモリなどに記憶しており、画像形成装置１０が用紙の表面及び裏面に形成する画像のサイズが用紙上で略同じになるように、用紙の表面に形成する画像の倍率と用紙の裏面に形成する画像の倍率とを切替える表裏倍率切換信号を走査設定部７８及びアドレス補正部８４に対して出力する。
【００２９】
走査設定部７８は、処理制御部７６から表裏倍率切換信号を受入れ、用紙の収縮率に応じて、画像形成装置１０が画像を用紙の表面に形成する場合と裏面に形成する場合とで後述するＰＬＬ９０が出力するクロックの周波数が異なるようにクロックの倍率を設定し、設定したクロックの倍率をアドレスカウンタ８０に対して出力する。また、走査設定部７８は、用紙の収縮率に応じて、光書込み装置４０ａ〜４０ｄが発する走査光の感光体３６ａ〜３６ｄに対する走査開始位置を設定し、設定した結果をアドレスカウンタ８０に対して出力するようにされている。
なお、用紙の収縮率は、用紙の両面に形成された画像を画像読取部５９が読取った結果に基づいて、制御部１８が算出するようにされてもよい。
【００３０】
アドレスカウンタ８０は、ＰＬＬ９０を有し、このＰＬＬ９０によって発振器７４から受入れたクロックの周波数を走査設定部７８から入力される設定に応じて変更し、周波数を変更したクロック、ＳＯＳセンサ（図示せず）が出力するＳＯＳ信号及び走査開始位置の設定に応じて、光書込み装置４０ａ〜４０ｄが走査光を発するアドレス（位置情報）を生成し、画像メモリ８２及びアドレス補正部８４に対して出力する。
【００３１】
画像メモリ８２は、画像読取りユニット１３又は図示しないコンピュータなどから画像データを受入れて記憶し、アドレスカウンタ８０から入力されるアドレスに応じて画像データを濃度補正部８６に対して出力する。なお、画像データには、画像を構成する画素の位置情報及び濃度（階調値）が含まれている。
【００３２】
アドレス補正部８４は、アドレスカウンタ８０から受入れたアドレスを処理制御部７６から入力された表裏倍率切換信号に応じて補正し、例えば画像形成装置１０が用紙の表面に画像を形成する場合に、そのままのアドレスを濃度補正部８６に対して出力する。アドレス補正部８４は、画像形成装置１０が用紙の裏面に画像を形成する場合には、補正後のアドレスを出力するようにされている。
【００３３】
濃度補正部８６は、用紙に形成する画像の濃度を位置情報に応じて補正するための補正量を濃度補正量算出部７２から受入れ、例えば光書込み装置４０ａ〜４０ｄが走査光を発するアドレス（位置情報）に補正量を対応させてＬＵＴ（Spatial Direct Look up table）９２として記憶する。また、濃度補正部８６は、画像メモリ８２から入力される画像データをＬＵＴ９２によって濃度補正し、網点生成部８８に対して出力する。ただし、画像形成装置１０が用紙の表面に画像を形成する場合、濃度補正部８６は、アドレス補正部８４から補正後のアドレスを受入れ、補正後のアドレスに応じて画像メモリ８２から入力される画像データをＬＵＴ９２によって濃度補正し、網点生成部８８に対して出力するようにされている。つまり、ＬＵＴ９２は、用紙の裏面に形成する画像に対してアドレス（位置情報）を補正して用いられ、用紙の表面に形成する画像に対してそのまま用いられる。
【００３４】
網点生成部８８は、濃度補正部８６から入力される画像データをスクリーニングし、網点化した画像データを光書込み装置４０ａ〜４０ｄに対して出力する。
【００３５】
次に、画像形成装置１０が用紙の表面の画像に対する補正量を算出する処理について説明する。
図３は、画像形成装置１０が用紙の表面の画像に対する補正量を算出する処理（Ｓ１０）を示すフローチャートである。
図４は、画像形成装置１０が用紙の表面の画像に対する補正量を算出する処理を示す概念図であって、（Ａ）は用紙に形成されたテスト画像を示し、（Ｂ）は画像読取部５９が位置情報に対応づけて読取った用紙の表面の画像の濃度（明度）を示すグラフであり、（Ｃ）は裏面の画像に対する補正量を示す模式図である。
図３に示すように、ステップ１００（Ｓ１００）において、画像形成装置１０は、用紙の両面にテスト画像１００（図４）を形成する。例えば画像形成装置１０は、図４（Ａ）に示すように、用紙の副走査方向上流側に設けられた位置ずれ検出用パターン１０４と、主走査方向に階調値が均一に設定された複数の領域を有する濃度補正用パターン１０４とを有するテスト画像１００を用紙の両面に形成する。
【００３６】
ステップ１０２（Ｓ１０２）において、画像読取部５９は、例えば用紙の表面に形成された画像の濃度（濃淡）を主走査方向の位置Ｘ（位置情報）に対応づけて検出する（図４（Ｂ）参照）。
【００３７】
ステップ１０４（Ｓ１０４）において、濃度補正量算出部７２は、表面の画像の濃度の補正量を位置情報に応じて算出する。例えば濃度補正量算出部７２は、画像読取部５９が検出したすじを打ち消すように表面の画像の濃度の補正量を算出する。
【００３８】
ステップ１０６（Ｓ１０６）において、濃度補正部８６は、位置情報に濃度の補正量を対応させてＬＵＴ９２として記憶する。
【００３９】
次に、画像形成装置１０がＬＵＴ９２を用いて用紙の両面に画像を形成する処理について説明する。
図５は、画像形成装置１０がＬＵＴ９２を用いて用紙の両面に画像を形成する処理（Ｓ２０）を示すフローチャートである。
図６は、画像形成装置１０が用紙の表面の画像に対してＬＵＴ９２の位置情報を補正する処理を示す概念図である。
図５に示すように、ステップ２００（Ｓ２００）において、画像形成装置１０は、走査開始位置を設定し、位置情報を補正することなくＬＵＴ９２を用いて、用紙の表面に画像を形成する。
【００４０】
ステップ２０２（Ｓ２０２）において、画像処理部７０は、用紙の裏面に形成する画像に対し、ＬＵＴ９２の位置情報を補正する。例えば画像処理部７０は、用紙の裏面に形成した画像が用紙の水分蒸発と吸収に伴って膨張することを前提に、ＬＵＴ９２に対して主走査方向の倍率を下げるように位置情報を補正する（図６参照）。
【００４１】
ステップ２０４（Ｓ２０４）において、画像形成装置１０は、走査開始位置を設定し、位置情報を補正したＬＵＴ９２を用いて、用紙の裏面に画像を形成する。
【００４２】
次に、画像処理部７０の変形例（画像処理部７０’）について説明する。
図７において、画像処理部７０’の構成が示されている。画像処理部７０’は、濃度補正量算出部７２、発振器７４、処理制御部１１０、走査開始位置設定部１１２、アドレスカウンタ１１４、画像メモリ８２、アドレス補正部１１６、濃度補正部８６、網点生成部８８、倍率設定部１１８及び像倍率補正部１２０から構成される。
なお、画像処理部７０’において、図２に示した画像処理部７０を構成する部分と実質的に同一のものには、同一の符号が付してある。
【００４３】
処理制御部１１０は、画像形成装置１０が用紙の表面に画像を形成した場合に、定着器５８を通った用紙に含まれる水分が蒸発することによって用紙が収縮する収縮率を図示しないメモリなどに記憶しており、画像形成装置１０が用紙の表面及び裏面に形成する画像のサイズが用紙上で略同じになるように、用紙の表面に形成する画像の倍率と用紙の裏面に形成する画像の倍率とを切替える表裏倍率切換信号を倍率設定部１１８に対して出力する。また、処理制御部１１０は、用紙の収縮率に応じて、光書込み装置４０ａ〜４０ｄが発する走査光の感光体３６ａ〜３６ｄに対する走査開始位置を設定し、設定した結果をアドレス補正部１１６に対して出力するようにされている。
【００４４】
走査開始位置設定部１１２は、光書込み装置４０ａ〜４０ｄが発する走査光の感光体３６ａ〜３６ｄに対する所定の走査開始位置を設定し、設定した結果をアドレスカウンタ１１４に対して出力する。
【００４５】
アドレスカウンタ１１４は、発振器７４から受入れたクロック、ＳＯＳセンサが出力するＳＯＳ信号及び走査開始位置設定部１１２が出力する走査開始位置の設定に応じて、光書込み装置４０ａ〜４０ｄが走査光を発するアドレス（位置情報）を生成し、画像メモリ８２及びアドレス補正部１１６に対して出力する。
【００４６】
アドレス補正部１１６は、アドレスカウンタ１１４から受入れたアドレスを処理制御部１１０から入力された走査開始位置に応じて補正し、濃度補正部８６及び像倍率補正部１２０に対して出力し、倍率を濃度補正部８６に対して出力する。
【００４７】
倍率設定部１１８は、処理制御部１１０から表裏倍率切換信号を受け入れ、像倍率補正部１２０が補正すべき画像の倍率を設定し、像倍率補正部１２０に対して出力する。例えば倍率設定部１１８は、画像形成装置１０が用紙の表面に画像を形成する場合には、１倍の倍率を設定して出力し、画像形成装置１０が用紙の裏面に画像を形成する場合には用紙の膨張分に応じた倍率を設定して出力する。
【００４８】
像倍率補正部１２０は、アドレス補正部１１６から走査開始位置の設定に応じたアドレス（位置情報）を受け入れ、倍率設定部１１８から画像の倍率設定を受入れて、スクリーニングされた画像の走査開始位置と倍率とを補正し、光書込み装置４０ａ〜４０ｄに対して出力する。
【００４９】
なお、画像処理部７０’において、網点生成部８８は、画像データの解像度を例えば２４００ｄｐｉなどの高解像度の網点に変換し、画質を維持するようにされてもよい。
【００５０】
このように、画像処理部７０’は、スクリーニング後に画像の走査開始位置と倍率とを補正することにより、表裏の画像全体の用紙上の位置及びサイズを均一にしつつ、表裏の位置及び倍率の違いを補正したことに起因する面内むら乃至すじの補正位置のずれも含めて表裏の画像の濃度（面内むら乃至すじを含む）を補正する。
【００５１】
なお、本実施形態においては、画像形成装置１０が用紙の両面に形成する画像の主走査方向の倍率を略一致させる場合を例に説明したが、これに限定されることなく、副走査方向の位置情報も補正し、用紙の表裏の走査開始位置を補正して、表裏の画像全体の用紙上の位置及びサイズを均一にしつつ、表裏の画像に生じる面内むら乃至すじを補正するようにしてもよい。
【００５２】
また、本実施形態においては、画像形成装置１０が用紙に形成した画像の濃度を位置情報に応じて補正する場合を例に説明したが、これに限定されることなく、例えば画像の出力状態として画像読取部５９が読取った画像の色を位置情報に応じて補正するようにしてもよいし、画像の色と濃度とを位置情報に応じて補正するようにしてもよい。
また、画像処理部７０及び画像処理部７０’は、画像の出力状態を位置情報に対応させたＴＲＣ（Spatial Tone Reproduction Curve）を記憶して、用紙の裏面に形成する画像の出力状態を位置情報に応じて補正するものであってもよい。
【図面の簡単な説明】
【００５３】
【図１】本発明の実施形態に係る画像形成装置の概要を示す側面図である。
【図２】画像処理部の構成を示すブロック図である。
【図３】画像形成装置が用紙の表面の画像に対する補正量を算出する処理（Ｓ１０）を示すフローチャートである。
【図４】画像形成装置が用紙の表面の画像に対する補正量を算出する処理を示す概念図であって、（Ａ）は用紙に形成されたテスト画像を示し、（Ｂ）は画像読取部が位置情報に対応づけて読取った用紙の表面の画像の濃度を示すグラフであり、（Ｃ）は裏面の画像に対する補正量を示す模式図である。
【図５】画像形成装置がＬＵＴを用いて用紙の両面に画像を形成する処理（Ｓ２０）を示すフローチャートである。
【図６】画像形成装置が用紙の表面の画像に対してＬＵＴの位置情報を補正する処理を示す概念図である。
【図７】画像処理部の変形例の構成を示すブロック図である。
【符号の説明】
【００５４】
１０    画像形成装置
１８    制御部
３４ａ〜３４ｄ    トナー像形成装置
４０ａ〜４０ｄ    光書込み装置
５９    画像読取部
６２    フィードバック部
６３    反転路
７０，７０’    画像処理部
７２    濃度補正量算出部
７４    発振器
７６，１１０    処理制御部
７８    走査設定部
８０，１１４    アドレスカウンタ
８２    画像メモリ
８４，１１６    アドレス補正部
８６    濃度補正部
８８    網点生成部
９０    ＰＬＬ
９２    ＬＵＴ
１００    テスト画像
１１２    走査開始位置設定部
１１８    倍率設定部
１２０    像倍率補正部
【図１】
2007088564.tif 000003
【図２】
2007088564.tif 000004
【図３】
2007088564.tif 000005
【図４】
2007088564.tif 000006
【図５】
2007088564.tif 000007
【図６】
2007088564.tif 000008
【図７】
2007088564.tif 000009